(57)【要約】【課題】  部品点数が少なく組立時に光ピックアップを確実にロックすること。【解決手段】  プレートトリガー１２をカムスライダ８に一体形成し、ドライブシャーシ７の前部に形成した凹溝２４内にロックバー２５が架設され、光ピックアップ６に一定範囲内前後進可能に配置したピックアップ用ラック９の前端から前方に延びる弾性変位可能な略Ｌ字状弾性片２６ａと、該弾性片２６ａの先端上面に突設した略三角形状フック部２６ｂとからなるフック部材２６が設けられ、該フック部材２６に対向して筐体２の前部にロック解除部材２７が設けられており、ピックアップ用ラック９を最前進ａさせたときにフック部２６ｂがロックバー２５の下をくぐって該ロックバー２５に係合され、ドライブシャーシ７を上動ｆさせたときに弾性片２６ａの先端がロック解除部材２７に当たって弾性変位されることによりフック部２６ｂをロックバー２５から離間させるようにした。【選択図】        図４
2005228441.tif 000002
【特許請求の範囲】
【請求項１】
ディスク載置用トレイを前後進可能に支持する筐体が設けられると共
に、該筐体の前部にトレイ用ピニオンが回転可能に配置され、前後進可能な光ピックアッ
プを搭載したドライブシャーシの後部が前記筐体に着脱可能に枢支されると共に、該ドラ
イブシャーシの前部が筐体に前後進方向とは直交する左右方向にスライド可能に配置した
カムスライダに係合され、該カムスライダの一端部に形成したスライダ用ラックが前記ト
レイ用ピニオンに噛合可能に形成され、前記光ピックアップにピックアップ用ラックが一
定範囲内前後進可能且つばねにより後方に付勢された状態で連結されると共に、該ピック
アップ用ラックに噛合可能なピックアップ用ピニオンがドライブシャーシに配置され、該
ドライブシャーシの前部に配置したプレートトリガーが前記カムスライダに係脱可能に係
合され、前記ピックアップ用ラックの前端上面に突設したガイドピンに対向して前記プレ
ートトリガーの下面に略Ｌ字状ガイド溝が形成されており、エジェクト信号に基づいてピ
ックアップ用ピニオンを正転させることにより、ピックアップ用ラック及び光ピックアッ
プを前進させると共に、ガイドピンをガイド溝内に進入させ、該ガイドピンをガイド溝の
中央コーナ部に形成した傾斜面に押し付けることによりカムスライダを左方向（または右
方向）にスライドさせてスライダ用ラックをトレイ用ピニオンに噛合させ、該トレイ用ピ
ニオンを正転させることによりカムスライダを左方向（または右方向）にスライドさせて
ドライブシャーシを下動させた後、そのトレイ用ピニオンの正転によりトレイを前進させ
るようにしたディスクプレーヤにおいて、前記プレートトリガーをドライブシャーシから
離脱させてカムスライダに一体形成し、前記ドライブシャーシの前部に形成した凹溝内に
ロックバーが架設され、前記ピックアップ用ラックの前端から前方に延びる弾性変位可能
な略Ｌ字状弾性片と、該弾性片の先端上面に突設した略三角形状フック部とからなるフッ
ク部材が設けられ、該フック部材に対向して筐体の前部にロック解除部材が設けられてお
り、ピックアップ用ラックを最前進させたときにフック部がロックバーの下をくぐって該
ロックバーに係合され、ドライブシャーシを上動させたときに弾性片の先端が前記ロック
解除部材に当たって弾性変位されることにより前記フック部をロックバーから離間させる
ようにしたことを特徴とするディスクプレーヤ。
【請求項２】
ディスク載置用トレイを前後進可能に支持する筐体が設けられると共
に、該筐体の前部にトレイ用ピニオンが回転可能に配置され、前後進可能な光ピックアッ
プを搭載したドライブシャーシの後部が前記筐体に着脱可能に枢支されると共に、該ドラ
イブシャーシの前部が筐体に前後進方向とは直交する左右方向にスライド可能に配置した
カムスライダに係合され、該カムスライダの一端部に形成したスライダ用ラックが前記ト
レイ用ピニオンに噛合可能に形成され、前記光ピックアップにピックアップ用ラックが一
定範囲内前後進可能且つばねにより後方に付勢された状態で連結されると共に、該ピック
アップ用ラックに噛合可能なピックアップ用ピニオンがドライブシャーシに配置され、該
ドライブシャーシの前部に配置したプレートトリガーが前記カムスライダに係脱可能に係
合され、前記ピックアップ用ラックの前端上面に突設したガイドピンに対向して前記プレ
ートトリガーの下面に略Ｌ字状ガイド溝が形成されており、エジェクト信号に基づいてピ
ックアップ用ピニオンを正転させることにより、ピックアップ用ラック及び光ピックアッ
プを前進させると共に、ガイドピンをガイド溝内に進入させ、該ガイドピンをガイド溝の
中央コーナ部に形成した傾斜面に押し付けることによりカムスライダを左方向（または右
方向）にスライドさせてスライダ用ラックをトレイ用ピニオンに噛合させ、該トレイ用ピ
ニオンを正転させることによりカムスライダを左方向（または右方向）にスライドさせて
ドライブシャーシを下動させた後、そのトレイ用ピニオンの正転によりトレイを前進させ
るようにしたディスクプレーヤにおいて、前記プレートトリガーをドライブシャーシから
離脱させてカムスライダに一体形成したことを特徴とするディスクプレーヤ。
【請求項３】
前記ドライブシャーシの前部にロック部材が設けられると共に、ピッ
クアップ用ラックを最前進させたときに前記ロック部材に係脱可能に係合するフック部材
が該ピックアップ用ラックの前端に突設され、前記ドライブシャーシを上動させたときに
前記フック部材に係合して該フック部材とロック部材との係合状態を解除するロック解除
部材が前記筐体の前部に設けられていることを特徴とする請求項２に記載のディスクプレ
ーヤ。
【請求項４】
前記ロック部材が、ドライブシャーシの前部に形成した凹溝内に架設
したロックバーからなり、前記フック部材が、ピックアップ用ラックの前端から前方に延
びる弾性変位可能な略Ｌ字状弾性片と、該弾性片の先端上面に突設した略三角形状フック
部とからなり、ピックアップ用ラックを最前進させたときにフック部がロックバーの下を
くぐって該ロックバーに係合され、ドライブシャーシを上動させたときに弾性片の先端が
前記ロック解除部材に当たって弾性変位されることにより前記フック部をロックバーから
離間させるようにしたことを特徴とする請求項３に記載のディスクプレーヤ。
【発明の詳細な説明】
【技術分野】
【０００１】
本発明は、例えばＤＶＤなどの光ディスクや磁気ディスク（以下、ディスクと略称する
）の再生や記録または消去を行うためのディスクプレーヤに関する。
【背景技術】
【０００２】
従来、ディスクプレーヤの技術として特許文献１などに記載したものがあり、その一例
を図９〜図１５に基づいて説明すると、これは、ディスクＤ載置用トレイ１を前後進ａ，
ｂ可能に支持する筐体２が設けられると共に、該トレイ１の下面に形成したトレイ用ラッ
ク１ａ（図９仮想線参照）に噛合可能なトレイ用ピニオン３が筐体２の前部に回転可能に
配置され、ターンテーブル４付きスピンドルモータ５と前後進ａ，ｂ可能な光ピックアッ
プ６とを搭載したドライブシャーシ７の後部両側面に突設した枢支軸７ａが筐体２の軸受
２ａに着脱可能に係合されることにより、該枢支軸７ａ回りでドライブシャーシ７が筐体
２に上下動ｅ，ｆ可能に枢支され、ドライブシャーシ７の前端面に突設したカムピン７ｂ
が筐体２に前後進ａ，ｂ方向とは直交する左右方向ｃ，ｄにスライド可能に配置したカム
スライダ８のカム溝８ａに嵌入され、該カムスライダ８の左方ｃ側端部に形成したスライ
ダ用ラック８ｂがトレイ用ピニオン３に一体形成した小径ピニオン３ｂに噛合可能に形成
され、前記光ピックアップ６にピックアップ用ラック９が一定範囲内前後進ａ，ｂ可能且
つばね１０により後方ｂに付勢された状態で連結されると共に、該ピックアップ用ラック
９に噛合可能なピックアップ用ピニオン１１がドライブシャーシ７に配置され、ドライブ
シャーシ７の前部にプレートトリガー１２が左右方向ｃ，ｄに移動可能に配置されると共
に、該プレートトリガー１２の前面に突設したトリガーピン１２ａがカムスライダ８の係
合溝８ｃに嵌入され、ピックアップ用ラック９の前端上面に突設したガイドピン１３に対
向してプレートトリガー１２の下面に略Ｌ字状ガイド溝１４が形成されている。
【０００３】
図９に示すように、ドライブシャーシ７に配置したフィードモータ１６によりギヤ機構
１７を介して前記トレイ用ピニオン３及びピックアップ用ピニオン１１を正逆回転ｇ，ｈ
させるように形成され、図１５に示すように、ガイド溝１４の中央コーナ部に前進ａ方向
に向かって右側に４５°傾斜する傾斜面１４ａが形成されると共に、該ガイド溝１４の奥
部に左右方向ｃ，ｄと平行する平行面１４ｂが形成されている。
【０００４】
図９に仮想線で示すように、カムスライダ８の上面に突設した一対の嵌合ピン１９に嵌
合する一対の嵌合溝２０がトレイ１の下面に形成されており、該各嵌合溝２０には前進ａ
方向に向かって右側に傾斜する傾斜面２０ａが形成されている。なお、図９中、２１は光
ピックアップ６を前後進ａ，ｂ可能に支持するガイドレール、図１０中、２２は筐体２の
上部に架設した天板部２ｂの中央収納部内に昇降可能に配置した磁石付きディスクホルダ
である。
【０００５】
エジェクト操作を説明すると、図９及び図１０に示すプレイモードからエジェクト釦を
押すと、そのエジェクト信号に基づいてフィードモータ１６でピックアップ用ピニオン１
１を正転ｇさせることにより、図１５（ａ）に示すように、ピックアップ用ラック９及び
光ピックアップ６を前進ａさせると共に、ガイドピン１３をガイド溝１４内に進入させ、
該ガイドピン１３をガイド溝１４の傾斜面１４ａに押し付けることにより〔図１５（ａ）
の拡大図参照〕、プレートトリガー１２及びトリガーピン１２ａを介してカムスライダ８
を左方向ｃにスライドさせてスライダ用ラック８ｂをトレイ用ピニオン３の小径ピニオン
３ａに噛合させる。また、ピックアップ用ピニオン１１とピックアップ用ラック９との噛
合状態を解除する。
【０００６】
続いて、図１５（ｂ）に示すように、フィードモータ１６でギヤ機構１７を介してトレ
イ用ピニオン３を正転ｇさせることにより、カムスライダ８を左方向ｃにスライドさせて
カム溝８ａ及びカムピン７ｂを介してドライブシャーシ７を下動ｅさせ（図１１参照）、
ターンテーブル４上のディスクＤをトレイ１上に載置する。それとほぼ同時に、嵌合ピン
１９を嵌合溝２０の傾斜面２０ａに押しつけてトレイ１を若干前進ａさせ、トレイ用ラッ
ク１ａをトレイ用ピニオン３に噛合させると共に、スライダ用ラック８ｂと小径ピニオン
３ａとの噛合状態を解除する。また、ばね１０を圧縮してピックアップ用ラック９を最前
進ａさせ、ガイドピン１３をガイド溝１４の平行面１４ｂに係合させ〔図１５（ｂ）の拡
大図参照〕、光ピックアップ６が不測に動かないようにロックする。
【０００７】
その後、フィードモータ１６でギヤ機構１７を介してトレイ用ピニオン３を正転ｇさせ
ることにより、該ピニオン３に噛合するトレイ用ラック１ａを介してトレイ１を前進ａさ
せる（図１１参照）。プレイモードに戻す場合には、エジェクト釦を押せばよい。これに
よって、前記とは逆の手順でトレイ１を後進ｂさせる。
【特許文献１】実用新案登録第３０９５６８８号公報
【発明の開示】
【発明が解決しようとする課題】
【０００８】
上記従来の構成では、プレートトリガー１２が独立して設けられているため、部品点数
が増加して、製作費が高くつく。
【０００９】
また、ディスクプレーヤの組立工程で、図１３に示すように、ドライブシャーシ７に光
ピックアップ６などを組み込んでドライブシャーシユニットＤＵを完成させ、そのドライ
ブシャーシユニットＤＵを次の工程まで搬送する際には、プレートトリガー１２を左方向
ｃに移動させることにより、ガイド溝１４の平行面１４ｂをガイドピン１３に係合させて
、光ピックアップ６が不測に動かないようにしているが、その搬送中にドライブシャーシ
ユニットＤＵにかかる振動などの衝撃でプレートトリガー１２が右方向ｄに動いて、ガイ
ドピン１３と平行面１４ｂとの係合状態が解除されることがあり（図１３の仮想線参照）
、これでは、搬送中に、光ピックアップ６が不測に動いて筐体２に衝撃的に当たって損傷
されたり、光ピックアップ６内の調整が狂うことになる。
【００１０】
本発明は、上記従来の欠点に鑑み、部品点数が少なく組立時に光ピックアップを確実に
ロックするようにしたディスクプレーヤを提供することを目的としている。
【課題を解決するための手段】
【００１１】
上記目的を達成するため、請求項１に記載の発明は、ディスク載置用トレイを前後進可
能に支持する筐体が設けられると共に、該筐体の前部にトレイ用ピニオンが回転可能に配
置され、前後進可能な光ピックアップを搭載したドライブシャーシの後部が前記筐体に着
脱可能に枢支されると共に、該ドライブシャーシの前部が筐体に前後進方向とは直交する
左右方向にスライド可能に配置したカムスライダに係合され、該カムスライダの一端部に
形成したスライダ用ラックが前記トレイ用ピニオンに噛合可能に形成され、前記光ピック
アップにピックアップ用ラックが一定範囲内前後進可能且つばねにより後方に付勢された
状態で連結されると共に、該ピックアップ用ラックに噛合可能なピックアップ用ピニオン
がドライブシャーシに配置され、該ドライブシャーシの前部に配置したプレートトリガー
が前記カムスライダに係脱可能に係合され、前記ピックアップ用ラックの前端上面に突設
したガイドピンに対向して前記プレートトリガーの下面に略Ｌ字状ガイド溝が形成されて
おり、エジェクト信号に基づいてピックアップ用ピニオンを正転させることにより、ピッ
クアップ用ラック及び光ピックアップを前進させると共に、ガイドピンをガイド溝内に進
入させ、該ガイドピンをガイド溝の中央コーナ部に形成した傾斜面に押し付けることによ
りカムスライダを左方向（または右方向）にスライドさせてスライダ用ラックをトレイ用
ピニオンに噛合させ、該トレイ用ピニオンを正転させることによりカムスライダを左方向
（または右方向）にスライドさせてドライブシャーシを下動させた後、そのトレイ用ピニ
オンの正転によりトレイを前進させるようにしたディスクプレーヤにおいて、前記プレー
トトリガーをドライブシャーシから離脱させてカムスライダに一体形成し、前記ドライブ
シャーシの前部に形成した凹溝内にロックバーが架設され、前記ピックアップ用ラックの
前端から前方に延びる弾性変位可能な略Ｌ字状弾性片と、該弾性片の先端上面に突設した
略三角形状フック部とからなるフック部材が設けられ、該フック部材に対向して筐体の前
部にロック解除部材が設けられており、ピックアップ用ラックを最前進させたときにフッ
ク部がロックバーの下をくぐって該ロックバーに係合され、ドライブシャーシを上動させ
たときに弾性片の先端が前記ロック解除部材に当たって弾性変位されることにより前記フ
ック部をロックバーから離間させるようにしたことを特徴としている。
【００１２】
請求項２に記載の発明は、ディスク載置用トレイを前後進可能に支持する筐体が設けら
れると共に、該筐体の前部にトレイ用ピニオンが回転可能に配置され、前後進可能な光ピ
ックアップを搭載したドライブシャーシの後部が前記筐体に着脱可能に枢支されると共に
、該ドライブシャーシの前部が筐体に前後進方向とは直交する左右方向にスライド可能に
配置したカムスライダに係合され、該カムスライダの一端部に形成したスライダ用ラック
が前記トレイ用ピニオンに噛合可能に形成され、前記光ピックアップにピックアップ用ラ
ックが一定範囲内前後進可能且つばねにより後方に付勢された状態で連結されると共に、
該ピックアップ用ラックに噛合可能なピックアップ用ピニオンがドライブシャーシに配置
され、該ドライブシャーシの前部に配置したプレートトリガーが前記カムスライダに係脱
可能に係合され、前記ピックアップ用ラックの前端上面に突設したガイドピンに対向して
前記プレートトリガーの下面に略Ｌ字状ガイド溝が形成されており、エジェクト信号に基
づいてピックアップ用ピニオンを正転させることにより、ピックアップ用ラック及び光ピ
ックアップを前進させると共に、ガイドピンをガイド溝内に進入させ、該ガイドピンをガ
イド溝の中央コーナ部に形成した傾斜面に押し付けることによりカムスライダを左方向（
または右方向）にスライドさせてスライダ用ラックをトレイ用ピニオンに噛合させ、該ト
レイ用ピニオンを正転させることによりカムスライダを左方向（または右方向）にスライ
ドさせてドライブシャーシを下動させた後、そのトレイ用ピニオンの正転によりトレイを
前進させるようにしたディスクプレーヤにおいて、前記プレートトリガーをドライブシャ
ーシから離脱させてカムスライダに一体形成したことを特徴としている。
【００１３】
請求項３に記載の発明は、請求項２に記載の発明において、前記ドライブシャーシの前
部にロック部材が設けられると共に、ピックアップ用ラックを最前進させたときに前記ロ
ック部材に係脱可能に係合するフック部材が該ピックアップ用ラックの前端に突設され、
前記ドライブシャーシを上動させたときに前記フック部材に係合して該フック部材とロッ
ク部材との係合状態を解除するロック解除部材が前記筐体の前部に設けられていることを
特徴としている。
【００１４】
請求項４に記載の発明は、請求項３に記載の発明において、前記ロック部材が、ドライ
ブシャーシの前部に形成した凹溝内に架設したロックバーからなり、前記フック部材が、
ピックアップ用ラックの前端から前方に延びる弾性変位可能な略Ｌ字状弾性片と、該弾性
片の先端上面に突設した略三角形状フック部とからなり、ピックアップ用ラックを最前進
させたときにフック部がロックバーの下をくぐって該ロックバーに係合され、ドライブシ
ャーシを上動させたときに弾性片の先端が前記ロック解除部材に当たって弾性変位される
ことにより前記フック部をロックバーから離間させるようにしたことを特徴としている。
【発明の効果】
【００１５】
請求項１に記載の発明は実施の一形態（図１〜図８参照）に対応するものであって、こ
れによれば、プレートトリガーをドライブシャーシから離脱させてカムスライダに一体形
成しており、従来の独立したプレートトリガーを用いる場合に比べて、部品点数が少ない
ので、製作費を安くすることができる。
【００１６】
また、エジェクト信号に基づいてドライブシャーシを下動させると、ピックアップ用ラ
ックのガイドピンがプレートトリガーのガイド溝から抜けて離脱するが、これに先立って
、最前進させたピックアップ用ラックに略Ｌ字状弾性片を介して突設した略三角形状フッ
ク部がドライブシャーシのロックバーの下をくぐって該ロックバーに係合されるため、光
ピックアップを前進位置から不測に動かないように確実にロックすることができる。
【００１７】
更に、前記ドライブシャーシを上動させると、筐体に設けたロック解除部材により弾性
片が下向きに弾性変位されて、フック部とロックバーとの係合状態が解除されるので、ピ
ックアップ用ラックのガイドピンをプレートトリガーのガイド溝に嵌入させて、光ピック
アップを元のロック解除状態に戻すことができる。
【００１８】
しかも、前記弾性片及びフック部がピックアップ用ラックに一体形成されると共に、前
記ロックバーがドライブシャーシに一体形成されているので、部品点数が増加せず、経済
的である。
【００１９】
ディスクプレーヤの組立工程で、ドライブシャーシに光ピックアップなどを組み込んで
完成させたドライブシャーシユニットを次の工程まで搬送する際には、ピックアップ用ラ
ックを最前進させることにより、該ピックアップ用ラックの前端に突設したフック部がド
ライブシャーシの前部に設けたロックバーに係合されて、光ピックアップを不測に動かな
いようにロックするので、その搬送中に、ドライブシャーシユニットに振動などの衝撃が
かかっても、従来のように光ピックアップが不測に動いて筐体に衝撃的に当たって損傷さ
れたり、その光ピックアップ内の調整が狂うというおそれがない。
【００２０】
請求項２に記載の発明によれば、プレートトリガーをドライブシャーシから離脱させて
カムスライダに一体形成しており、従来の独立したプレートトリガーを用いる場合に比べ
て、部品点数が少ないので、製作費を安くすることができる。
【００２１】
請求項３に記載の発明によれば、エジェクト信号に基づいてドライブシャーシを下動さ
せると、ピックアップ用ラックのガイドピンがプレートトリガーのガイド溝から抜けて離
脱するが、これに先立って、最前進させたピックアップ用ラックの前端に突設したフック
部材がドライブシャーシの前部に設けたロック部材に係合されるため、光ピックアップを
前進位置から不測に動かないように確実にロックすることができる。
【００２２】
また、前記ドライブシャーシを上動させると、筐体に設けたロック解除部材によりフッ
ク部材とロック部材との係合状態が解除されるので、ピックアップ用ラックのガイドピン
をプレートトリガーのガイド溝に嵌入させて、光ピックアップを元のロック解除状態に戻
すことができる。
【００２３】
ディスクプレーヤの組立工程で、ドライブシャーシに光ピックアップなどを組み込んで
完成させたドライブシャーシユニットを次の工程まで搬送する際には、ピックアップ用ラ
ックを最前進させることにより、該ピックアップ用ラックの前端に突設したフック部材が
ドライブシャーシの前部に設けたロック部材に係合されて、光ピックアップを不測に動か
ないようにロックするので、その搬送中に、ドライブシャーシユニットに振動などの衝撃
がかかっても、従来のように光ピックアップが不測に動いて筐体に衝撃的に当たって損傷
されたり、その光ピックアップ内の調整が狂うというおそれがない。
【００２４】
請求項４に記載の発明によれば、ピックアップ用ラックを最前進させるだけで、該ピッ
クアップ用ラックに略Ｌ字状弾性片を介して突設した略三角形状フック部がドライブシャ
ーシのロックバーの下をくぐって該ロックバーに係合され、光ピックアップを不測に動か
ないように確実にロックすることができる。また、前記弾性片及びフック部がピックアッ
プ用ラックに一体形成されると共に、前記ロックバーがドライブシャーシに一体形成され
ているので、部品点数が増加せず、経済的である。
【発明を実施するための最良の形態】
【００２５】
図１〜図８は本発明の実施の一形態であるディスクプレーヤを示すものであって、プレ
ートトリガー１２をドライブシャーシ７から離脱させてカムスライダ８に一体形成し、ド
ライブシャーシ７の前部に形成した凹溝２４内にロックバー（ロック部材）２５が架設さ
れ、該ロックバー２５に係脱可能に係合するフック部材２６がピックアップ用ラック９に
突設され、ロック解除部材２７が筐体２の前部に設けられている。上記以外の構成は図１
０〜図１５に示す構成とほぼ同じであるから、同一部分に同一符号を付してその説明を省
略する。
【００２６】
前記フック部材２６は、ピックアップ用ラック９の前端から前方に延びる弾性変位可能
な略Ｌ字状弾性片２６ａと、該弾性片２６ａの先端上面に突設した略三角形状フック部２
６ｂとからなり、ピックアップ用ラック９を最前進ａさせたときにフック部２６ｂがロッ
クバー２５の下をくぐって該ロックバー２５に係合される〔図８（ｂ）参照〕。
【００２７】
前記ロック解除部材２７は、略三角形状であって、フック部材２６に対向して筐体２の
前部に突設されており、ドライブシャーシ７を上動ｆさせたときに、該ロック解除部材２
７の傾斜面２７ａに弾性片２６ａの先端が当たって、該弾性片２６ａが下向きに弾性変位
され、これによって、フック部２６ｂがロックバー２５から離間されて、そのフック部２
６ｂとロックバー２５との係合状態を解除する〔図８（ｃ）参照〕。
【００２８】
エジェクト操作を説明すると、図１及び図２に示すプレイモードからエジェクト釦を押
すと、そのエジェクト信号に基づいてフィードモータ１６でピックアップ用ピニオン１１
を正転ｇさせることにより、図７（ａ）に示すように、ピックアップ用ラック９及び光ピ
ックアップ６を前進ａさせると共に、ガイドピン１３をガイド溝１４内に進入させ〔図８
（ａ）参照〕、該ガイドピン１３をガイド溝１４の傾斜面１４ａに押し付けることにより
〔図７（ａ）の拡大図参照〕、プレートトリガー１２を介してカムスライダ８を左方向ｃ
にスライドさせてスライダ用ラック８ｂをトレイ用ピニオン３の小径ピニオン３ａに噛合
させる。また、ピックアップ用ピニオン１１とピックアップ用ラック９との噛合状態を解
除する。
【００２９】
続いて、図７（ｂ）に示すように、フィードモータ１６でギヤ機構１７を介してトレイ
用ピニオン３を正転ｇさせてカムスライダ８を左方向ｃにスライドさせる。これにより、
ガイドピン１３をガイド溝１４の平行面１４ｂに係合させ〔図７（ｂ）の拡大図参照〕、
ばね１０を圧縮してピックアップ用ラック９を最前進ａさせ、フック部２６ｂをロックバ
ー２５の下をくぐって該ロックバー２５に係合させ〔図８（ｂ）参照〕、光ピックアップ
６が不測に動かないようにロックする。また、カム溝８ａ及びカムピン７ｂを介してドラ
イブシャーシ７を下動ｅさせ（図３参照）、ターンテーブル４上のディスクＤをトレイ１
上に載置し、ガイドピン１３をガイド溝１４から抜き出す。それとほぼ同時に、嵌合ピン
１９を嵌合溝２０の傾斜面２０ａに押しつけてトレイ１を若干前進ａさせ、トレイ用ラッ
ク１ａをトレイ用ピニオン３に噛合させると共に、スライダ用ラック８ｂと小径ピニオン
３ａとの噛合状態を解除する。
【００３０】
この場合、ドライブシャーシ７を下動ｅさせると、ピックアップ用ラック９のガイドピ
ン１３がプレートトリガー１２のガイド溝１４から抜けて離脱するが、これに先立って、
最前進ａさせたピックアップ用ラック９に略Ｌ字状弾性片２６ａを介して突設した略三角
形状フック部２６ｂがドライブシャーシ７のロックバー２５の下をくぐって該ロックバー
２５に係合されるため、光ピックアップ６を前進位置から不測に動かないように確実にロ
ックすることができる。
【００３１】
その後、フィードモータ１６によりギヤ機構１７を介してトレイ用ピニオン３を正転ｇ
させることにより、該ピニオン３に噛合するトレイ用ラック１ａを介してトレイ１を前進
ａさせる（図１１参照）。
【００３２】
プレイモードに戻す場合には、エジェクト釦を押せばよい。これによって、前記とは逆
の手順で、トレイ１を後進ｂさせた後、ドライブシャーシ７が上動ｆされ、図８（ｃ）に
示すように、ロック解除部材２７の傾斜面２７ａに弾性片２６ａの先端が当たって、該弾
性片２６ａが下向きに弾性変位され、これによって、フック部２６ｂがロックバー２５か
ら離間されると共に、ガイドピン１３がガイド溝１４に嵌入される。
【００３３】
この場合、ドライブシャーシ７を上動ｆさせると、筐体２に設けたロック解除部材２７
により弾性片２６ａが下向きに弾性変位されて、フック部２６ｂとロックバー２５との係
合状態が解除されるので、ピックアップ用ラック９のガイドピン１３をプレートトリガー
１２のガイド溝１４に嵌入させて、光ピックアップ６を元のロック解除状態に戻すことが
できる。
【００３４】
上記構成によれば、プレートトリガー１２をドライブシャーシ７から離脱させてカムス
ライダ８に一体形成しており、従来の独立したプレートトリガー１２を用いる場合に比べ
て、部品点数が少ないので、製作費を安くすることができる。
【００３５】
また、弾性片２６ａ及びフック部２６ｂからなるフック部材２６がピックアップ用ラッ
ク９に一体形成されると共に、ロックバー２５がドライブシャーシ７に一体形成されてい
るので、部品点数が増加せず、経済的である。
【００３６】
ディスクプレーヤの組立工程で、ドライブシャーシ７に光ピックアップ６などを組み込
んで完成させたドライブシャーシユニットＤＵ（図５参照）を次の工程まで搬送する際に
は、ピックアップ用ラック９を最前進ａさせることにより、該ピックアップ用ラック９の
前端に突設したフック部２６ｂがドライブシャーシ７の前部に設けたロックバー２５に係
合されて、光ピックアップ６を不測に動かないようにロックするので、その搬送中に、ド
ライブシャーシユニットＤＵに振動などの衝撃がかかっても、従来のように光ピックアッ
プ６が不測に動いて筐体２に衝撃的に当たって損傷されたり、その光ピックアップ６内の
調整が狂うというおそれがない。
【図面の簡単な説明】
【００３７】
【図１】本発明の実施の一形態であるディスクプレーヤを示す平面図である。
【図２】同縦断面図である。
【図３】同エジェクト状態の縦断面図である。
【図４】同要部の分解斜視図である。
【図５】同ドライブシャーシユニットの平面図である。
【図６】同ドライブシャーシユニットの縦断面である。
【図７】（ａ）はエジェクト前半の概略平面図、（ｂ）は同後半の概略平面図である。
【図８】（ａ）はピックアップ用ラックのロック直前状態の概略側面図、（ｂ）は同ロック状態の概略側面図、（ｃ）は同ロック解除状態の概略側面図である。
【図９】従来例を示す平面図である。
【図１０】同縦断面図である。
【図１１】同エジェクト状態の縦断面図である。
【図１２】同要部の分解斜視図である。
【図１３】同ドライブシャーシユニットの平面図である。
【図１４】同ドライブシャーシユニットの縦断面である。
【図１５】（ａ）はエジェクト前半の概略平面図、（ｂ）は同後半の概略平面図である。
【符号の説明】
【００３８】
１        トレイ
２        筐体
３        トレイ用ピニオン
６        光ピックアップ
７        ドライブシャーシ
７ｂ      カムピン
８        カムスライダ
８ａ      カム溝
９        ピックアップ用ラック
１０      ばね
１１      ピックアップ用ピニオン
１２      プレートトリガー
１２ａ    トリガーピン
１３      ガイドピン
１４      ガイド溝
１４ａ    ガイド溝の傾斜面
１４ｂ    ガイド溝の平行面
２４      凹溝
２５      ロックバー（ロック部材）
２６      フック部材
２６ａ    弾性片
２６ｂ    フック部
２７      ロック解除部材
Ｄ        ディスク
ａ，ｂ    前後進
ｃ，ｄ    左右方向
ｇ        正転
【図１】
2005228441.tif 000003
【図２】
2005228441.tif 000004
【図３】
2005228441.tif 000005
【図４】
2005228441.tif 000006
【図５】
2005228441.tif 000007
【図６】
2005228441.tif 000008
【図７】
2005228441.tif 000009
【図８】
2005228441.tif 000010
【図９】
2005228441.tif 000011
【図１０】
2005228441.tif 000012
【図１１】
2005228441.tif 000013
【図１２】
2005228441.tif 000014
【図１３】
2005228441.tif 000015
【図１４】
2005228441.tif 000016
【図１５】
2005228441.tif 000017